(57)【要約】【課題】簡単な構造で且つ爪ホルダーへの挿入が容易で、傾動しないように耕耘軸に固定できる耕耘爪および耕耘装置を提供する。【解決手段】耕耘軸１０に形成された爪ホルダー３０に係止される被係止部２１を、一端部に有する耕耘爪２０において、被係止部２１に、爪ホルダー３０の端面３１に当接する段部２３を形成し、この段部２３は、少なくとも被係止部２１の、耕耘軸１０の周方向両側に形成されており、さらに、段部２３は、筒状に形成された爪ホルダー３０の端部全周に当接するように形成されているのが好ましい。【選択図】図２
2008061644.tif 000002
【特許請求の範囲】
【請求項１】
耕耘軸に形成された爪ホルダーに係止される被係止部を、一端部に有する耕耘爪において、
前記被係止部に、前記爪ホルダーの端面に当接する段部を形成した
ことを特徴とする耕耘爪。
【請求項２】
前記段部は、少なくとも前記被係止部の、前記耕耘軸の周方向両側に形成された
ことを特徴とする請求項１に記載の耕耘爪。
【請求項３】
前記段部は、筒状に形成された前記爪ホルダーの端部全周に当接するように形成された
ことを特徴とする請求項１または請求項２に記載の耕耘爪。
【請求項４】
耕耘機やトラクターの下部に設けられ土地を耕耘する耕耘装置において、
回転自在に支持された耕耘軸と、
前記耕耘軸の外周面に取り付けられ耕耘爪を保持する爪ホルダーと
前記爪ホルダーに係止される被係止部を一端部に有するとともに前記被係止部に前記爪ホルダーの端面に当接する段部が形成された耕耘爪と、を備えた
ことを特徴とする耕耘装置。
【請求項５】
前記耕耘爪は、ボルトやネジなどの締結手段により前記爪ホルダーに締結され、
前記耕耘爪の前記被係止部は、前記締結手段の締結方向に沿って縮幅するテーパ状に形成されており、
前記爪ホルダーは、前記被係止部が当接する係止部を有しており、前記係止部は前記被係止部の縮幅形状に沿うテーパ状に形成された
ことを特徴とする請求項４に記載の耕耘装置。
【請求項６】
前記耕耘爪は、被係止部のテーパ面と縮幅側端面とが前記爪ホルダーの内表面に当接した状態で固定されている
ことを特徴とする請求項５に記載の耕耘装置。
【発明の詳細な説明】
【技術分野】
【０００１】
本発明は、耕耘機やトラクターの下部に設けられ土地を耕耘するための耕耘爪および耕耘装置に関する。
【背景技術】
【０００２】
従来の耕耘装置で、耕耘爪を耕耘作業機の耕耘軸に取り付けるには、耕耘爪の一端部に被係止部を形成するとともに、耕耘軸の外周面に耕耘爪を係止する筒状の爪ホルダーを形成し、耕耘爪の一端部を爪ホルダーに挿入するようになっていた。耕耘爪の被係止部は、断面四角形を呈しており、断面四角形の開口を有する爪ホルダーに挿入されて、ボルト・ナットなどの締結手段で固定されている。爪ホルダーの開口部は、被係止部の断面形状より若干大きく形成されており、所定の隙間（クリアランス）を設けることで、耕耘爪の挿入および引抜きを行い易くしている。そして、耕耘爪を爪ホルダーに固定する際には、耕耘爪を、爪ホルダーの内周面に対して、耕耘軸の回転方向と反対の方向に押し付けた状態で固定するようになっている。これによって、耕耘作業時に、耕耘爪が爪ホルダーに対して傾動しないようにしている（従来技術１）。
【０００３】
一方、その他の構成としては、耕耘爪の被係止部を、断面ひし形に形成し、爪ホルダーの内面の形状もひし形に形成したものがあった（例えば、特許文献１参照）。この耕耘爪と爪ホルダーでは、耕耘爪が耕耘作業によって耕耘軸の回転方向と反対の方向に抵抗を受けることで、耕耘爪のひし形状の凸部が爪ホルダーのひし形状の凹部に挟まれて固定されるようになっている（従来技術２）。
【０００４】
さらに、耕耘爪の被係止部に波状の溝部と突部とを設けるとともに、爪ホルダーの内面に波状の溝部と突部とを設けたものがあった（例えば、特許文献２参照）。この耕耘爪と爪ホルダーでは、各溝部と突部とが互いに噛み合って、耕耘爪が爪ホルダーに対して動かないようになっている（従来技術３）。
【特許文献１】特開２０００−３４２００９号公報（段落０００８，０００９、図２）
【特許文献２】特開平７−２７４６０４号公報（段落０００９，図３）
【発明の開示】
【発明が解決しようとする課題】
【０００５】
しかしながら、前記した従来技術１の耕耘爪と爪ホルダーでは、これらを、耕耘軸が逆回転機能を有する耕耘機に適用すると、耕耘爪に押し付けている方向とは逆の方向に力が加わるために、耕耘爪が爪ホルダーの中でボルトを中心に傾動してしまう。この傾動を繰り返すと、耕耘爪と爪ホルダーの間にがたつきが生じ、このがたつきによる衝撃や摩耗によって爪ホルダーや耕耘爪に変形が生じたり、ボルトが緩んで耕耘爪が爪ホルダーから抜け落ちたりすることがあるといった問題があった。
【０００６】
一方、耕耘爪と爪ホルダーを、耕耘軸が一方向にしか回転しない耕耘機に用いる場合であっても、耕耘爪を爪ホルダーに押し付ける方向を間違えた場合には、取付け間違いによる耕耘爪のがたつきが生じて前記したような弊害が生じやすい。さらに、耕耘爪を爪ホルダーに押し付ける工程が必要なために、耕耘爪の取付け作業が煩雑である。
【０００７】
また、前記した従来技術２の耕耘爪と爪ホルダーでは、従来技術１の耕耘爪と爪ホルダーと同様に、耕耘爪と爪ホルダー間にクリアランスが形成されているために、耕耘軸を逆回転させると耕耘爪が爪ホルダーの中で傾動することとなり、前記したような弊害が生じる。
【０００８】
一方、前記した従来技術３の耕耘爪と爪ホルダーでは、耕耘軸を逆回転させても耕耘爪が爪ホルダーに対して傾動することなく固定することができるようになった。しかし、この耕耘爪と爪ホルダーでは、各部材が複雑な形状のために、製造手間が増加してしまう。また、この耕耘爪と爪ホルダーでは、溝部と突部に大きな力がかかるために、溝部と突部が変形しやすく、わずかな変形でも発生すると、溝部と突部との嵌め合わせができなくなる。さらに、溝部と突部との嵌め合わせを確認しながら耕耘爪と爪ホルダーとを締結する必要があるために、耕耘爪の取付け作業が煩雑である。
【０００９】
そこで、本発明では、前記した問題を解決し、簡単な構造で且つ爪ホルダーへの挿入が容易で、傾動しないように耕耘軸に固定できる耕耘爪および耕耘装置を提供することを目的とする。
【課題を解決するための手段】
【００１０】
前記課題を解決するための請求項１に係る発明は、耕耘軸に形成された爪ホルダーに係止される被係止部を、一端部に有する耕耘爪において、前記被係止部に、前記爪ホルダーの端面に当接する段部を形成したことを特徴とする耕耘爪である。
【００１１】
このような構成によれば、段部が爪ホルダーの端面に当接することで、ボルト・ナットなどの締結手段と段部との複数の位置で耕耘爪が支持されるので、耕耘軸が回転しても、耕耘爪が爪ホルダーに対して傾動することはない。また、段部を形成するだけであるので、構造が簡単で製作も容易である。さらに、被係止部と爪ホルダーとの間にクリアランスを確保できるので、被係止部の爪ホルダーへの挿入が容易である。
【００１２】
請求項２に係る発明は、前記段部が、少なくとも前記被係止部の、前記耕耘軸の周方向両側に形成されたことを特徴とする請求項１に記載の耕耘爪である。
【００１３】
このような構成によれば、被係止部の両側で段部が爪ホルダーの端面に当接するので、耕耘爪は、締結手段と、被係止部の両側二箇所の段部の三点で支持されることとなり、より安定された状態で爪ホルダーに固定される。したがって、耕耘爪と耕耘軸との固定強度が大幅に高められる。
【００１４】
請求項３に係る発明は、前記段部が、筒状に形成された前記爪ホルダーの端部全周に当接するように形成されたことを特徴とする請求項１または請求項２に記載の耕耘爪である。
【００１５】
このような構成によれば、段部が爪ホルダーの開口部を塞ぐ蓋の役目を果たすので、爪ホルダーの内部に土砂が浸入するのを防止できる。したがって、爪ホルダー内で土砂が固まることはなく、耕耘後に耕耘爪の交換を行う際の被係止部の引抜を容易に行うことができる。
【００１６】
請求項４に係る発明は、耕耘機やトラクターの下部に設けられ土地を耕耘する耕耘装置において、回転自在に支持された耕耘軸と、前記耕耘軸の外周面に取り付けられ耕耘爪を保持する爪ホルダーと前記爪ホルダーに係止される被係止部を一端部に有するとともに前記被係止部に前記爪ホルダーの端面に当接する段部が形成された耕耘爪と、を備えたことを特徴とする耕耘装置である。
【００１７】
このような構成によれば、請求項１に係る発明と同様に、段部が爪ホルダーに当接することで、耕耘軸が回転しても、耕耘爪が爪ホルダーに対して傾動することはない。また、構造が簡単で製作も容易であり、さらに、耕耘爪の被係止部の爪ホルダーへの挿入が容易である。
【００１８】
請求項５に係る発明は、前記耕耘爪が、ボルトやネジなどの締結手段により前記爪ホルダーに締結され、前記耕耘爪の前記被係止部は、前記締結手段の締結方向に沿って縮幅するテーパ状に形成されており、前記爪ホルダーは、前記被係止部が当接する係止部を有しており、前記係止部は前記被係止部の縮幅形状に沿うテーパ状に形成されたことを特徴とする請求項４に記載の耕耘装置である。
【００１９】
このような構成によれば、段部による傾動防止効果の他に、締結手段で、耕耘爪を爪ホルダーに締結することで、耕耘爪の被係止部のテーパ状部分と爪ホルダーのテーパ状部分とが互いに隙間なく押圧されることとなるので、耕耘爪の傾動を防止できるという効果を得られる。したがって、より一層、耕耘爪の傾動を防止することができ、耕耘爪の耕耘軸に対する固定強度を大幅に高めることができる。
【００２０】
請求項６に係る発明は、前記耕耘爪が、被係止部のテーパ面と縮幅側端面とが前記爪ホルダーの内表面に当接した状態で固定されていることを特徴とする請求項５に記載の耕耘装置である。
【００２１】
このような構成によれば、段部による傾動防止効果の他に、締結手段で、耕耘爪を爪ホルダーに締結することで、耕耘爪の被係止部のテーパ状部分（テーパ面）と爪ホルダーのテーパ状部分とが互いに隙間なく押圧されることとなるとともに、縮幅側端面と爪ホルダーの内表面とが密着して摩擦力を得られるので、耕耘爪の傾動を防止できるという効果を得られる。したがって、請求項５に係る発明よりも、さらにより一層、耕耘爪の傾動を防止する効果が高まり、耕耘爪の耕耘軸に対する固定強度を大幅に高めることができる。
【発明の効果】
【００２２】
本発明によれば、耕耘爪および耕耘装置の構造を簡単なものにできるとともに、耕耘爪の爪ホルダーへの挿入を容易に行うことができ、さらに耕耘爪を傾動しないように耕耘軸に固定できるといった優れた効果を発揮する。
【発明を実施するための最良の形態】
【００２３】
次に、本発明を実施するための最良の形態について、添付図面を参照しながら詳細に説明する。
【００２４】
図１は本発明に係る耕耘爪および耕耘装置を備えた耕耘機の側面図、図２は本発明に係る耕耘装置を実施するための最良の第一の形態を示した斜視図および耕耘爪と爪ホルダーの断面図、図３は本発明に係る耕耘爪を実施するための最良の第一の形態を示した斜視図および正面図、図４は図２の部分拡大図である。
【００２５】
図１に示すように、かかる耕耘装置１は、耕耘機２やトラクターの下部（本実施の形態では耕耘機２の下部）に設けられた、土地３を耕耘するための装置である。耕耘装置１は、耕耘機２に回転自在に支持された耕耘軸１０と、耕耘軸１０に固定される耕耘爪２０と、耕耘軸１０の外周面１１（図２参照）に取り付けられ耕耘爪２０を保持して固定する爪ホルダー３０（図２参照）とを備えている。なお、耕耘軸１０の回転方向は、矢印Ａが正回転方向であり、矢印Ｂが逆回転方向である。耕耘作業は、その大半を、耕耘軸１０を正回転方向Ａに回転させて行っている。
【００２６】
耕耘軸１０は、円筒状部材（図２参照）であって、図１に示すように、耕耘機２の進行方向に直交する方向に延出するように配置されている。耕耘軸１０は、耕耘機２の車幅と略同等の長さを有しており、その両端部が、車幅方向両側に設けられた支持アーム４に軸支されている。耕耘軸１０は、耕耘機２の前部に設けられたエンジン５などの駆動装置からの回転動力によって回転するように構成されている。
【００２７】
図２に示すように、耕耘爪２０は、その基端部（耕耘爪２０に固定される側の端部）となる一端部に被係止部２１を有しており、この被係止部２１を爪ホルダー３０に挿入してボルト４０ａ、ワッシャ４０ｂ及びナット４０ｃからなる締結手段で締め付けることで、耕耘爪２０が爪ホルダー３０に固定されている。なお、締結手段は、ボルト４０ａに限られるものではなく、ネジなどの他のものであってもよい。
【００２８】
図２及び図３に示すように、耕耘爪２０の被係止部２１には、ボルト孔２２が形成されている。被係止部２１は、締結手段の締結方向、すなわちボルト４０ａの挿通方向に沿って縮幅するテーパ状に形成されており、断面が略台形（図２（ｂ）、（ｃ）および図３参照）を呈している。被係止部２１には、爪ホルダー３０の端面３１（図２（ａ）参照）に当接する段部２３が形成されている。段部２３は、耕耘爪２０の胴部２４が耕耘軸１０の周方向両側に広がって延出して形成されることで構成されている。すなわち、本実施の形態では、段部２３は、被係止部２１の、耕耘軸１０の周方向両側に形成されている。また、段部２３の基端側の端面２３ａが爪ホルダー３０の端面３１に当接し、この端面２３ａよりも基端側の被係止部２１が、爪ホルダー３０内に挿入されることとなる。一方、耕耘爪２０の被係止部２１とは逆側の先端部（他端部）には、土地３（図１参照）を撹拌する撹拌爪２５が形成されている。耕耘爪２０は、耕耘軸１０の外周面１１に複数固定されている。耕耘爪２０は、耕耘軸１０の周方向に見て所定の角度（例えば、９０度）をあけると共に、耕耘軸１０の軸方向に所定の間隔をあけて、螺旋状に配置されている。
【００２９】
爪ホルダー３０は、耕耘軸１０の径方向に延出した角筒形の保持具であり、本実施の形態では、断面形状が略コの字形をした２つの部材（第一ホルダー３０ａおよび第二ホルダー３０ｂ）を互いに組み合わせて角筒を形成している。第一ホルダー３０ａは、耕耘軸１０の外周面１１に固定されている。第二ホルダー３０ｂは、第一ホルダー３０ａの内側に収容されるように構成されており、締結部材によって、耕耘爪２０と一体的に締結されることで、第一ホルダー３０ａに固定されている。第一ホルダー３０ａと第二ホルダー３０ｂとは、耕耘軸１０の径方向に同等の長さに形成されており、各先端面が面一となるように構成されている。これら各先端面が、爪ホルダー３０の端面３１を構成しており、この端面３１に耕耘爪２０の段部２３が当接することとなる。第二ホルダー３０ｂの内側表面は、耕耘爪２０の被係止部２１が当接する係止部３２を構成している。係止部３２は、耕耘爪２０の被係止部２１の表面の縮幅形状に沿うテーパ状に形成されている。第一ホルダー３０ａと第二ホルダー３０ｂには、ボルト４０ａが挿通されるボルト孔３３ａ，３３ｂがそれぞれ形成されている。このボルト孔３３ａ，３３ｂのうち、一方のボルト孔３３ａ（第一ホルダー３０ａのボルト孔）は、ボルト４０ａを回転させずに固定するために、ボルト４０ａの頭部と同形の六角形に形成されている。
【００３０】
このような構成の耕耘爪２０を爪ホルダー３０に固定するに際しては、図２（ｂ）に示すように、まず、第二ホルダー３０ｂを第一ホルダー３０ａ内に収容して角筒状の爪ホルダー３０を構成するとともに、耕耘爪２０の被係止部２１を、爪ホルダー３０の内部（第一ホルダー３０ａと第二ホルダー３０ｂ間の空間）に挿入する。このとき、被係止部２１は、爪ホルダー３０の開口断面よりも、小さい断面で形成されているので、爪ホルダー３０の内部に容易に挿入できる。そして、第一ホルダー３０ａ側から、ボルト４０ａを差し込み、第一ホルダー３０ａのボルト孔３３ａ、被係止部２１のボルト孔２２、第二ホルダー３０ｂのボルト孔３３ｂへと順次挿通させる。その後、図２（ｃ）に示すように、ボルト４０ａにワッシャ４０ｂとナット４０ｃを装着して、ナット４０ｃを螺合させる。このとき、ボルト４０ａの頭部は、六角形のボルト孔３３ａに嵌まって、回転が規制されているので、ナット４０ｃを回転させるだけで、締付けを行うことができる。
【００３１】
このように、ナット４０ｃによる締付けが完了すると、耕耘爪２０の被係止部２１と爪ホルダー３０の係止部３２とが互いに押圧される。被係止部２１と係止部３２は、互いに対応するテーパ状に形成されているので、締め付けられることによって、被係止部２１が所定の位置に固定されて、さらに被係止部２１の位置が規制される。
【００３２】
また、このように、耕耘爪２０を耕耘軸１０に固定すると、図４に示すように、段部２３の端面２３ａが、爪ホルダー３０の端面３１と当接する。これによって、ボルト４０ａ、ワッシャ４０ｂおよびナット４０ｃからなる締結手段と段部２３の端面２３ａとの複数の位置で耕耘爪２０が支持される。特に、本実施の形態では、段部２３は、被係止部２１の、耕耘軸１０の周方向両側に形成されているので、被係止部２１の両側で段部２３が爪ホルダー３０の端面３１に当接する。したがって、耕耘爪２０は、締結手段と、二箇所の段部２３の三点で支持されることとなり、構造的に安定性が高く、耕耘爪２０と耕耘軸１０との固定強度が非常に高い。そして、耕耘爪２０と耕耘軸１０の三つの接点は、耕耘軸１０の回転方向Ａ，Ｂを含む面内に含まれるので、図４中、白抜き矢印に示すように耕耘軸１０の回転によって発生する応力に効果的に対抗できる。また、段部２３が被係止部２１の両側に形成されているので、耕耘軸１０が正逆回転を繰り返して行っても、耕耘爪２０が爪ホルダー３０に対して傾動するのを確実に防止することができる。そのために、耕耘爪２０にがたつきが生じることはなく、耕耘爪２０および爪ホルダー３０に衝撃や摩耗が発生しない。よって、耕耘爪２０や爪ホルダー３０に変形が生じたり、ボルト４０ａ・ナット４０ｃが緩んで耕耘爪２０が爪ホルダー３０から抜け落ちたりすることを防止できる。さらに、本実施の形態では、耕耘爪２０の被係止部２１および爪ホルダー３０の係止部３２をテーパ状に形成して、締結部材で締め付けて押さえつけているので、耕耘軸１０の回転方向両側に対して、耕耘爪２０が爪ホルダー３０を押圧することとなる。したがって、耕耘爪２０の傾動防止効果が大幅に向上している。
【００３３】
また、本実施の形態によれば、耕耘爪２０に段部２３を形成するだけであるので、例えば従来技術３のものと比較すると、構造が簡単で、製作も容易である。さらに、被係止部２１と爪ホルダー３０の内面との間にクリアランスを確保できるとともに、従来技術３のように、溝同士の位置合せを行う必要もないので、被係止部２１の爪ホルダー３０への挿入が容易である。
【００３４】
さらに、段部２３が、爪ホルダー３０の開口部の一部を覆うように配置されているので、爪ホルダー３０内に浸入する土砂量を低減することができる。これによって、土砂の詰まりを低減できるとともに、耕耘爪２０や爪ホルダー３０の錆を低減することが可能となり、耕耘爪２０の交換時に被係止部２１を爪ホルダー３０から容易に引き抜くことができる。
【００３５】
また、本実施の形態では、ボルト４０ａの頭部が、第一ホルダー３０ａのボルト孔３３ａで係止されるとともに、爪ホルダー３０内に収容されている。したがって、ボルト４０ａの頭部は爪ホルダー３０の表面から突出することはなく、その部分に泥などがひっかかって付着するのを防止できるので、耕耘爪２０の交換作業が容易になる。
【００３６】
図５は、爪ホルダーと耕耘爪との接合状態の他の形態を示した断面図である。図２の形態では、耕耘爪２０の被係止部２１と爪ホルダー３０との間に隙間があるのに対して、本実施形態では、耕耘爪２０は、被係止部２１のテーパ面２１ａと縮幅側端面２１ｂとが、爪ホルダー３０の第二ホルダー３０ｂの内表面３０ｃに当接した状態で固定されていることを特徴とする。具体的には、被係止部２１のテーパ面２１ａを構成するテーパ状部分の幅が、第二ホルダー３０ｂの内表面３０ｃの底部近傍の幅と同等になるように、被係止部２１が形成されている。そして、耕耘爪２０の被係止部２１と爪ホルダー３０の第二ホルダー３０ｂとを、ボルト４０ａ・ナット４０ｃで締め付けることによって、被係止部２１のテーパ面２１ａと縮幅側端面２１ｂとが、爪ホルダー３０の第二ホルダー３０ｂの内表面３０ｃに、隙間なく当接して押圧される。なお、その他の構成については、図２の（ｃ）と同様であるので、同じ符号を付して、その説明を省略する。
【００３７】
このような構成によれば、被係止部２１は、縮幅側端面２１ｂと、その両側のテーパ面２１ａ，２１ａの三面で、第二ホルダー３０ｂの内表面に密着することとなる。これによって、耕耘爪２０の被係止部２１と爪ホルダー３０の第二ホルダー３０ｂ間の摩擦力を得ることができる。したがって、耕耘爪の傾動を確実に防止できるという効果を得られ、耕耘爪２０の耕耘軸１０に対する固定強度を大幅に高めることができる。さらに、被係止部２１と第二ホルダー３０ｂ間に隙間がないので、泥が隙間に侵入するのを防止できる。これによって、耕耘爪２０が第二ホルダー３０ｂに接着されることがなく、耕耘爪２０の交換時には、ボルト４０ａ・ナット４０ｃを取り外せば、円滑に耕耘爪２０を取り外すことができ、交換作業が容易になる。
【００３８】
図６は本発明に係る耕耘爪を実施するための最良の第二の形態を示した斜視図および正面図である。
【００３９】
図６（ａ）および（ｂ）に示すように、かかる実施の形態の耕耘爪５０は、段部５１が、被係止部２１の、耕耘軸１０の周方向両側のみならず、周方向に直交する方向の両側にも形成されている。すなわち、被係止部２１の周囲の全周に亘って段部５１が形成されており、この段部５１は、その端面５１ａが爪ホルダー３０の開口部の全周に亘って、端面３１に当接する。すなわち、耕耘爪５０の段部５１が、爪ホルダー３０の開口部を塞ぐように構成されている。なお、その他の構成については、図１乃至図３に示した実施の形態と同様であるので、同じ符号を付して、その説明を省略する。本実施の形態では、段部５１の端面５１ａの方が、爪ホルダー３０の端面３１より大きく、段部５１が爪ホルダー３０の端面３１の略全面を覆うように構成されているが、これに限られるものではなく、段部の端面の方が、爪ホルダー３０の端面３１より小さくても、段部が、爪ホルダー３０の開口部の周囲の全周に渡って端面３１に当接していればよい。
【００４０】
かかる実施の形態によれば、耕耘爪５０の傾動を防止できるなどの、前記実施の形態と同様の作用効果の他に、耕耘爪５０の段部５１が爪ホルダー３０の開口部を塞ぐ蓋の役目を果たすので、爪ホルダー３０の内部に土砂が浸入するのを確実に防止できる。したがって、耕耘爪５０と爪ホルダー３０間に土砂が詰まって固まることはなく、耕耘後に耕耘爪５０の交換を行う際の被係止部２１の引抜を容易に行うことができる。
【００４１】
図７は本発明に係る耕耘装置を実施するための最良の第三の形態を示した斜視図および耕耘爪および爪ホルダーの断面図である。
【００４２】
図７（ａ）および（ｂ）に示すように、かかる実施の形態の耕耘爪５５は、被係止部５６に形成されたボルト孔５７の一端部に、ボルト４０ａの頭部を係止するための凹部５７ａを形成したことを特徴とする。凹部５７ａは、ボルト４０ａの頭部の形状と同形の六角形に形成されており、ボルト４０ａの頭部が嵌まることで、ボルト４０ａの回転を規制するようになっている。凹部５７ａは、テーパ状に形成された断面略台形状の被係止部５６の長辺側に形成されており、ボルト４０ａの軸部が、被係止部５６の短辺側と当接する爪ホルダー５８側に延出するように構成されている。
【００４３】
爪ホルダー５８は、耕耘軸１０の径方向に延出しており、断面形状が略コの字形に形成された部材にて構成されている。爪ホルダー５８は、その一端部が耕耘軸１０の外周面１１に固定され、他端部が耕耘爪５５の被係止部５６の段部２３が当接する端面５９を構成している。爪ホルダー５８の内側は、耕耘爪５５の被係止部５６が当接する係止部６０を構成している。係止部６０は、耕耘爪５５の被係止部５６の表面の縮幅形状に沿うテーパ状に形成されている。また、爪ホルダー５８には、ボルト４０ａが挿通されるボルト孔６１が形成されている。
【００４４】
このような構成の耕耘爪５５を爪ホルダー５８に固定するに際しては、まず、耕耘爪５５を爪ホルダー５８の内側部分に挿入し（図７（ｂ）参照）、耕耘爪５５のボルト孔５７にボルト４０ａを挿入する。そして、図７（ｃ）に示すように、爪ホルダー５８側から、ボルト４０ａの軸部に、ワッシャ４０ｂとナット４０ｃを装着し、ナット４０ｃを螺合させる。このとき、ボルト４０ａの頭部は、被係止部２１のボルト孔５７の凹部５７ａに嵌まって、回転が規制されているので、ナット４０ｃを回転させるだけで、締付けを行うことができる。
【００４５】
このような構成によれば、耕耘爪５５の傾動を防止できるなどの第一の実施の形態と同様の作用効果を得られる他に、第一の実施の形態と比較して、爪ホルダー５８の部品点数が少ないので、構造が簡単となるとともに、取付け作業の容易化および、耕耘装置１の軽量化を達成できる。また、爪ホルダー５８の片面が開放されているので、土砂が付着したとしても容易に除去することが可能であり、さらに、耕耘爪５５の交換時に、耕耘爪５５をボルト４０ａの延出方向にずらすだけで容易に取り外すことができる。
【００４６】
図８は本発明に係る耕耘装置を実施するための最良の第四の形態を示した斜視図、図９は本発明に係る耕耘爪を実施するための最良の第四の形態を示した斜視図および正面図である。
【００４７】
図８に示すように、本実施の形態は、ボルト４０ａの差込み方向（挿入方向）が、耕耘軸１０の軸方向に対して、直交するように構成された形態である。爪ホルダー７５は、第一の実施の形態と同様の形状の第一ホルダー７５ａと第二ホルダー７５ｂとで構成されている。これら第一ホルダー７５ａおよび第二ホルダー７５ｂは、耕耘軸１０の軸方向に延びるように広がって横向きに配置されている。これに対応して、爪ホルダー７５の開口部は、耕耘軸１０の軸方向に沿って横方向に広がるように構成されている。
【００４８】
そのため、図８及び図９に示すように、耕耘爪７０は、回転方向に沿って広がる胴部７１に対して、被係止部７２が直交して横方向に広がるように構成されている。被係止部７２の、耕耘軸１０の周方向両側（図９における上下両側）には、爪ホルダー７５の端面７６に当接する段部７３がそれぞれ形成されている。段部７３は、被係止部７２の幅で形成されており、段部７３で対抗可能な応力を高めている。
【００４９】
このような構成によれば、耕耘爪７０の傾動を防止できるなどの第一の実施の形態と同様の作用効果を得られる他に、耕耘爪７０の固定時に、ボルト４０ａに装着したナット４０ｃを、耕耘軸１０に対して平行ではなく、耕耘機２（図１参照）の前後方向に向けることができるので、インパクトドライバー７７を用いて作業を行うことができ、強固な締付けを容易に行うことができる。
【００５０】
図１０は本発明に係る耕耘装置を実施するための最良の第五の形態を示した斜視図、図１１は本発明に係る耕耘爪を実施するための最良の第五の形態を示した斜視図および正面図である。
【００５１】
図１０に示すように、本実施の形態は、ボルト４０ａの差込み方向（挿入方向）が、耕耘軸１０の軸方向に対して、斜めに傾斜（本実施の形態では略４５度）するように構成された形態である。爪ホルダー８５は、第一の実施の形態と同様の形状の第一ホルダー８５ａと第二ホルダー８５ｂとで構成されている。これら第一ホルダー８５ａおよび第二ホルダー８５ｂは、耕耘軸１０の軸方向に対して傾斜するように配置されている。これに対応して、爪ホルダー８５の開口部は、斜めに広がるように構成されている。
【００５２】
そのため、図１０及び図１１に示すように、耕耘爪８０は、回転方向に沿って広がる胴部８１に対して、被係止部８２が傾斜して横方向に広がるように構成されている。被係止部８２の、耕耘軸１０の周囲全周には、爪ホルダー８５の端面８６の全周に当接する段部８３が形成されている。
【００５３】
このような構成によれば、耕耘爪８０の傾動を防止できるなどの第一の実施の形態と同様の作用効果を得られる他に、ボルト４０ａが傾斜するように、爪ホルダー８５を形成しているので、耕耘爪８０の固定時に、ボルト４０ａに装着したナット４０ｃを、隣接する爪ホルダー８５の位置からずれた方向に向けることができる。したがって、インパクトドライバー７７を用いて締付け作業を行うことができ、強固な締付けを容易に行うことができる。特に、本実施の形態は、爪ホルダーが螺旋状ではなく、耕耘軸１０の同一円周上にリング状に配置されている場合に、他の耕耘爪とインパクトドライバー７７との干渉を防止できるので有効である。
【００５４】
なお、前記第四および第五の実施の形態では、爪ホルダー７５，８５を、ボルト４０ａの挿入方向が耕耘軸１０の軸方向に対して直角あるいは４５度に交わるよう固着した例を示したが、これは耕耘軸１０と非平行に固着することの例示にすぎない。要するに、爪ホルダー７５，８５の固着方向は、インパクトドライバー７７が、他の爪ホルダーあるいは耕耘爪と干渉せずに、その先端部品がナット４０ｃに嵌りやすいように適宜変えるのが望ましい。
【００５５】
以上、本発明を実施するための形態について説明したが、本発明は前記実施の形態に限定されず、本発明の趣旨を逸脱しない範囲で適宜設計変更が可能である。例えば、前記実施の形態では、被係止部がテーパ状に傾斜して形成されているが、これに限られるものではなく、爪ホルダーに挿入可能であれば、断面長方形あるいは、それ以外の形状であってもよいのは勿論である。
【００５６】
また、図５で示した、被係止部２１のテーパ面２１ａと縮幅側端面２１ｂとが、爪ホルダー３０の第二ホルダー３０ｂの内表面３０ｃに当接した状態で固定されているといった形態は、前記第二乃至第五の実施形態にも適用できるのは勿論である。
【図面の簡単な説明】
【００５７】
【図１】本発明に係る耕耘爪および耕耘装置を備えた耕耘機の側面図である。
【図２】本発明に係る耕耘装置を実施するための最良の第一の形態を示した（ａ）は斜視図、（ｂ）は耕耘爪および爪ホルダーの固定前の断面図、（ｃ）は耕耘爪および爪ホルダーの固定時の断面図である。
【図３】本発明に係る耕耘爪を実施するための最良の第一の形態を示した（ａ）は斜視図、（ｂ）は正面図である。
【図４】図２の部分拡大図である。
【図５】爪ホルダーと耕耘爪との接合状態の他の形態を示した断面図である
【図６】本発明に係る耕耘爪を実施するための最良の第二の形態を示した（ａ）は斜視図、（ｂ）は正面図である。
【図７】本発明に係る耕耘装置を実施するための最良の第三の形態を示した（ａ）は斜視図、（ｂ）は耕耘爪および爪ホルダーの固定前の断面図、（ｃ）は耕耘爪および爪ホルダーの固定時の断面図である。
【図８】本発明に係る耕耘装置を実施するための最良の第四の形態を示した斜視図である。
【図９】本発明に係る耕耘爪を実施するための最良の第四の形態を示した（ａ）は斜視図、（ｂ）は正面図である。
【図１０】本発明に係る耕耘装置を実施するための最良の第五の形態を示した斜視図である。
【図１１】本発明に係る耕耘爪を実施するための最良の第五の形態を示した（ａ）は斜視図、（ｂ）は正面図である。
【符号の説明】
【００５８】
１      耕耘装置
１０    耕耘軸
１１    （耕耘軸の）外周面
２０    耕耘爪
２１    被係止部
２１ａ  テーパ面
２１ｂ  縮幅側端面
２３    段部
３０    爪ホルダー
３０ｃ  内表面
３１    端面
３２    係止部
【図１】
2008061644.tif 000003
【図２】
2008061644.tif 000004
【図３】
2008061644.tif 000005
【図４】
2008061644.tif 000006
【図５】
2008061644.tif 000007
【図６】
2008061644.tif 000008
【図７】
2008061644.tif 000009
【図８】
2008061644.tif 000010
【図９】
2008061644.tif 000011
【図１０】
2008061644.tif 000012
【図１１】
2008061644.tif 000013